(57)【要約】【課題】ＴＢＦを識別するために明示的ビットを使用することなく、ＰＡＮフィールドでＴＦＩを送信することができるようにする。【解決手段】ピギーバック肯定応答／否定応答（ＰＡＮ）フィールドに基づいてＰＡＮチェックシーケンス（ＰＣＳ）を生成する。ＴＢＦの一時的フロー識別（ＴＦＩ）を持った、ＰＡＮフィールドがアドレスされてマスクしたＰＣＳを生成するＰＣＳビットのサブセットをマスクする。ヘッダ、データ部、ＰＡＮフィールド、及び、マスクしたＰＣＳを含むデータブロックを生成する。【選択図】図１
2014123975.tif 000002
【特許請求の範囲】
【請求項１】
ＧＳＭ／ＥＤＧＥ無線アクセスネットワーク（ＧＥＲＡＮ）準拠の無線送／受信ユニット（ＷＴＲＵ）において使用するための方法であって、
ダウンリンク一時的ブロックフロー（ＴＢＦ）と関連付けられた第１のデータブロックであって、該ダウンリンクＴＢＦを識別する一時的フロー識別（ＴＦＩ）を含む第１のヘッダを含む第１のデータブロックを受信することと、
前記ダウンリンクＴＢＦに対応するピギーバック肯定応答／否定応答（ＰＡＮ）フィールドを生成することと、
該ＰＡＮフィールドに基づき、ＰＡＮチェックシーケンス（ＰＣＳ）を生成することと、
ＰＣＳビットのサブセットを前記ＴＦＩでマスクしてマスクされたＰＣＳを生成することと、
アップリンクＴＢＦと関連付けられた、第２のヘッダ、該アップリンクＴＢＦに対応するデータ部、前記ＰＡＮフィールド、及び、前記マスクされたＰＣＳを含む第２のデータブロックを生成することと、及び、
前記第２のデータブロックを送信することと、
を含む方法。
【請求項２】
ＰＣＳビットの前記サブセットは、前記ＰＣＳビットの最初のＮビットまたは前記ＰＣＳビットの最後のＮビットである、請求項１に記載の方法。
【請求項３】
前記ＰＣＳは、前記ＰＡＮフィールドで巡回冗長検査（ＣＲＣ）符号化を実行することにより生成される、請求項１に記載の方法。
【発明の詳細な説明】
【技術分野】
【０００１】
本発明は無線通信システムに関する。
【背景技術】
【０００２】
待ち時間削減は、ＧＳＭ／ＥＤＧＥ無線アクセスネットワーク（ＧＥＲＡＮ）で考慮すべき点のうちの１つである。待ち時間削減のために、短縮伝送時間間隔（reduced transmission time interval）（ＲＴＴＩ）と、高速肯定応答／否定応答（ＡＣＫ／ＮＡＣＫ）レポーティング（ＦＡＮＲ）という２つの技法が提案された。
【０００３】
従来、ＡＣＫ／ＮＡＣＫレポートは、無線リンク制御／メディアアクセス制御（ＲＬＣ／ＭＡＣ）制御ブロックとも呼ばれる明示的メッセージで送信される。ＡＣＫ／ＮＡＣＫレポートは、一時的ブロックフロー（Temporary Block Flow）（ＴＢＦ）と呼ばれる特定の無線源にアドレス指定される。
【０００４】
ＴＢＦは、データの単一方向転送をサポートするための、移動局とネットワークとの間の一時的接続である。ＴＢＦは一時的であり、データ転送の期間中だけ維持される。各ＴＢＦには、ネットワークによって一時的フロー識別（temporary flow identity）（ＴＦＩ）が割り当てられる。ＴＦＩは、各方向の共存するＴＢＦ間で固有のものであり、ＲＬＣ／ＭＡＣ層内の移動局識別の代わりに使用される。特定のＴＢＦに属するあらゆるＲＬＣヘッダ内に同一のＴＦＩが含まれる。
【０００５】
あるＴＢＦに対するＡＣＫ／ＮＡＣＫレポートを、別のＴＢＦにアドレス指定される可能性のあるＲＬＣ／ＭＡＣデータブロック上の「ピギーバック」として送信することが提案されている。ＡＣＫ／ＮＡＣＫレポートを搬送するフィールドは、ピギーバックＡＣＫ／ＮＡＣＫ（ＰＡＮ）フィールドと呼ばれる。
【０００６】
ＰＡＮフィールドは、異なるＴＢＦにアドレス指定される可能性のあるデータブロック内に含まれるので、ＰＡＮフィールドがどのＴＢＦにアドレス指定されるかを識別することが必要である。ＰＡＮフィールド内の正しいＴＢＦを識別するために、ＴＦＩまたはアップリンク（ＵＬ）状態フラグ（ＵＳＦ）を使用することを含めて、様々な提案が行われている。アップリンクＴＢＦの確立中、ＵＳＦが各移動局に割り当てられる。ＵＳＦはネットワークによって使用され、どの移動端末が後続のアップリンク無線ブロックで送信することを許可されるかが示される。
【発明の概要】
【発明が解決しようとする課題】
【０００７】
いずれにしても、いくつかのビット（通常は３から５個の範囲）を、ＰＡＮフィールド内のＴＢＦ識別専用にすべきである。ＴＢＦを識別するのに専用ビットが不要となるようにＰＡＮフィールド内のＴＢＦ識別を送信する効率的な方法を有することが望ましい。
【課題を解決するための手段】
【０００８】
ＰＡＮフィールドがアドレス指定されるＴＢＦを示す方法および機器について記載する。ＰＡＮチェックシーケンス（ＰＣＳ）が、例えば巡回冗長検査（ＣＲＣ）符号化を使用して作成される。ＰＣＳが、ＴＢＦに割り当てられたＴＦＩ、またはＴＦＩに基づいて生成されたマスクでマスクされる。次いで、ＰＡＮフィールドとマスク済みＰＣＳとを含むデータブロックが、送信のために処理される。（Ｍ，Ｎ）符号を使用してＴＦＩを変換することによってマスクを生成することができ、ＭはＰＣＳのビット数であり、ＮはＴＦＩのビット数である。この方式では、ＴＢＦを識別するために明示的ビットを使用することなく、ＰＡＮフィールドでＴＦＩを送信することができる。
【０００９】
添付の図面と共に例として与えられる以下の説明からより詳細な理解を得ることができる。
【図面の簡単な説明】
【００１０】
【図１】例示的無線ブロックを示す図である。
【図２】送信局の例示的ブロック図である。
【図３】受信局の例示的ブロック図である。
【発明を実施するための形態】
【００１１】
以下では、「ワイヤレス送信／受信ユニット（ＷＴＲＵ）」という用語は、限定はしないが、ユーザ装置（ＵＥ）、移動局（ＭＳ）、固定または移動加入者装置、ページャ、携帯電話、携帯情報端末（ＰＤＡ）、コンピュータ、またはワイヤレス環境で動作することのできる他の任意のタイプのユーザ装置を含む。以下では、「基地局」という用語は、限定はしないが、Ｎｏｄｅ−Ｂ、サイトコントローラ、アクセスポイント（ＡＰ）、あるいはワイヤレス環境で動作することのできる他の任意のインターフェーシング装置を含む。
【００１２】
図１は例示的無線ブロック１００を示す。データ転送のための無線ブロック１００が、１つのＲＬＣ／ＭＡＣヘッダ１０２、ヘッダチェックシーケンス（ＨＣＳ）１０４、１つまたは複数のＲＬＣデータブロック１０６、ブロックチェックシーケンス（ＢＣＳ）１０８、ＰＡＮフィールド１１０、およびＰＣＳ１１２を含む。ＲＬＣ／ＭＡＣヘッダ１０２、ＲＬＣデータブロック（複数可）１０６、およびＰＡＮフィールド１１０は、誤り検出および誤り訂正のために別々に符号化され、それぞれに対して別々のチェックサム（例えば巡回冗長検査（ＣＲＣ）チェックサム）が付加される。ＲＬＣ／ＭＡＣヘッダ１０２は、ＰＡＮフィールド１１０が無線ブロック１００内に含まれるか否かを示す制御フィールドを含む。ＨＣＳ１０４は、ＲＬＣ／ＭＡＣヘッダ１０２の誤り検出のために使用される。ＢＣＳ１０８は、ＲＬＣデータブロック１０６の誤り検出のために使用される。各ＲＬＣデータブロックについて別々のＢＣＳを含めることができる。ＰＡＮフィールド１１０は、一方向に送信されて他方向のＴＢＦに関する肯定応答を与えるピギーバックＡＣＫ／ＮＡＣＫ情報を含む。ＰＣＳ１１２は、ＰＡＮフィールド１１０の誤り検出のために使用される。
【００１３】
図２は、送信局２００の例示的ブロック図である。送信局２００は、ＷＴＲＵ、Ｎｏｄｅ−Ｂ、あるいは任意の他の機器または装置であってよい。送信局２００は、エンコーダ２０２、マスクユニット２０４、およびトランシーバ２０６を含む。ＰＡＮフィールドがエンコーダ２０２に入力される。エンコーダ２０２は、ＰＡＮフィールド２０１に基づいてＰＣＳを生成する。例えば、エンコーダは巡回冗長検査（ＣＲＣ）エンコーダであってよく、ＰＣＳは、ＰＡＮフィールド１１０に基づいて生成されたＣＲＣチェックサムであってよい。次いで、マスクユニット２０４は、ＴＦＩでＰＣＳをマスクする（すなわち、ＴＦＩがマスクとして使用される）。ＴＦＩを用いるＰＣＳビットのマスキングをモジュロ２加算（すなわち、排他的論理和（ＸＯＲ）演算）によって実施することができる。トランシーバ２０６は、ＰＡＮフィールド１１０およびマスク済みＰＣＳ１１２を含むデータブロック１００を送信する。この方式では、ＴＢＦを識別するために明示的ビットを使用することなく、ＰＡＮフィールドでＴＦＩを送信することができる。送信前に、チャネル符号化（前方誤り訂正（ＦＥＣ）符号化、レートマッチング、インターリービングなど）を実施することができる。
【００１４】
ＴＦＩの少なくとも１ビットが、ＰＣＳの少なくとも１ビットでマスクされる。例えば、ＰＣＳビット数（Ｍ）がＴＦＩビット数（Ｎ）よりも大きいとき（例えば、Ｎ＝５およびＭ＝１０）、ＴＦＩビットをＰＣＳビットの一部またはすべて（例えば、最初のＮビット、最後のＮビット、またはＭビットのサブセット）にマッピングすることができる。ＮがＭよりも大きい場合、逆のケースも可能である。
【００１５】
あるいは、送信局２００はマスクジェネレータ２０８を含んでもよい。マスクジェネレータ２０８は、ＴＦＩからマスクを生成し、マスクユニット２０４が、マスクジェネレータ２０８で生成されたマスクでＰＣＳをマスクする。（Ｍ，Ｎ）符号を使用してＮビットＴＦＩをＭビットマスクに変換することができ（ＭはＰＣＳのビット数）、次いでマスクとＰＣＳとのＸＯＲを取ることができる。
【００１６】
あるいは、Ｌ＜Ｍであるとして（ＭはＰＣＳのビット数）、（Ｌ，Ｎ）符号を使用してＮビットＴＦＩをＬビットマスクに変換することもでき、次いでマスクとＰＣＳとのＸＯＲを取ることができる。例えば、ＰＣＳビット数（Ｍ）がマスクビット数（Ｌ）よりも大きいとき（例えば、Ｌ＝８およびＭ＝１０）、マスクビットをＰＣＳビットの一部またはすべて（例えば、最初のＬビット、最後のＬビット、またはＬビットのサブセット）にマッピングすることができる。逆のケースも可能である。
【００１７】
Ｍビットシーケンス間の分離（例えばハミング距離）の改善を実現するようにＭビットマスクを選択することができる。例えば、それは、ＮビットＴＦＩを生成行列と２進乗算することによって得ることができる。良好なマスキング符号は、最大の予想最小距離と、この最小値の最低の出現頻度とを有する。
【００１８】
最大の最小距離を有する線形２進符号の例示的生成行列が以下で与えられる。こうした例では、ＴＦＩが５ビット長であると仮定される。
【００１９】
（１）最小距離２を有する（６，５）符号（Ｍ＝６である場合に適用できる）
【００２０】
【表１】
2014123975.tif 000003
【００２１】
（２）最小距離２を有する（７，５）符号（Ｍ＝７である場合に適用できる）
【００２２】
【表２】
2014123975.tif 000004
【００２３】
（３）最小距離２を有する（８，５）符号（Ｍ＝８である場合に適用できる）
【００２４】
【表３】
2014123975.tif 000005
【００２５】
（４）最小距離３を有する（９，５）符号（Ｍ＝９である場合に適用できる）
【００２６】
【表４】
2014123975.tif 000006
【００２７】
（５）最小距離４を有する（１０，５）符号（Ｍ＝１０である場合に適用できる）
【００２８】
【表５】
2014123975.tif 000007
【００２９】
（６）最小距離４を有する（１１，５）符号（Ｍ＝１１である場合に適用できる）
【００３０】
【表６】
2014123975.tif 000008
【００３１】
上記の生成行列は、限定としてではなく、一例として与えられたものであり、任意の他の変形形態も可能であることに留意されたい。例えば、上述の行列に２進置換行列を事前乗算および事後乗算することができ、その結果、行および／または列が置換された新しい行列が得られる。この列置換および／または行置換は、符号の距離特性を維持する。
【００３２】
図３は、受信局３００の例示的ブロック図である。受信局３００は、ＷＴＲＵ、基地局、あるいは任意の他の機器または装置であってよい。受信局３００は、トランシーバ３０２、マスク解除ユニット３０４、およびデコーダ３０６を含む。オプションで、受信局３００は、マスクジェネレータ３０８をさらに含むことができる。トランシーバ３０２は、図１に示されるようなＰＡＮフィールドおよびマスク済みＰＣＳを含む無線ブロックを受信する。トランシーバ３０２は、ＰＡＮフィールドおよびマスク済みＰＣＳを出力する。マスク解除ユニット３０４が、受信したマスク済みＰＣＳを、ＴＢＦに割り当てられたそれ自体のＴＦＩでマスク解除し、あるいはそれ自体のＴＦＩを使用してマスクジェネレータ３０８によって生成されたマスクでマスク解除する。マスク解除ユニット３０４は、ＰＡＮビットおよびマスク解除済みＰＣＳビットを出力する。次いで、デコーダ３０６が、受信したＰＡＮフィールドに基づいてＰＣＳ（例えばＣＲＣビット）を計算し、計算したＰＣＳをマスク解除済みの受信したＰＣＳと比較する。２つのＰＣＳが一致する場合、受信したＰＡＮフィールドが受信局３００にアドレス指定されると宣言される。２つのＰＣＳが一致しない場合、ＰＡＮフィールドが受信局３００にアドレス指定されないと宣言され、次いでＰＡＮフィールドを破棄することができる。
【００３３】
あるいは、デコーダ３０６が（例えばＣＲＣを使用して）ＰＣＳを計算し、次いで、計算したＰＣＳをそのＴＦＩ、またはＴＦＩに基づいて生成されたマスクでマスクし、次いで、計算したマスク済みＰＣＳを受信したマスク済みＰＣＳと比較してもよい。
【００３４】
受信局３００は、複数の格納されたＴＦＩに対して、受信したＰＡＮを復号化する必要があることがある。受信局３００が複数のＴＢＦに割り振られる可能性があり、各ＴＢＦがそれ自体のＴＦＩを有するからである。複数のＴＢＦが受信局３００に割り振られるとき、受信局３００は、割り振られたＴＢＦに対応する可能な各ＴＦＩに対してマスク解除することにより、ＰＡＮがどのＴＢＦにアドレス指定されるかを判定する。
【００３５】
実施形態
１．ＰＡＮフィールドがアドレス指定されるＴＢＦを示す方法。
【００３６】
２．ＰＡＮフィールドに基づいてＰＣＳを生成することを含む実施形態１の方法。
【００３７】
３．ＰＣＳをマスクでマスクすることを含み、マスクがＴＢＦに関係付けられる実施形態２の方法。
【００３８】
４．ＰＡＮフィールドとマスク済みＰＣＳとを含むデータブロックを送信することを含む実施形態３の方法。
【００３９】
５．マスクが、ＴＢＦに割り振られたＴＦＩである実施形態３〜４のいずれか１つの方法。
【００４０】
６．ＴＦＩを用いるＰＣＳビットのマスキングが、ＰＣＳの少なくとも１ビットと、ＴＦＩの少なくとも１ビットとのビット単位のモジュロ２加算によって実施される実施形態３〜５のいずれか１つの方法。
【００４１】
７．ＰＣＳの長さとＴＦＩの長さとが異なり、ＴＦＩのＮビットが、ＰＣＳのＮビットでマスクされる実施形態３〜６のいずれか１つの方法。
【００４２】
８．ＰＣＳのＮビットが、ＰＣＳの最初のＮビット、ＰＣＳの最後のＮビット、およびＰＣＳのサブセットのうちの１つである実施形態７の方法。
【００４３】
９．ＰＣＳが、ＰＡＮフィールドを用いるＣＲＣ符号化を実施することによって生成される実施形態３〜８のいずれか１つの方法。
【００４４】
１０．マスクが、ＴＢＦに割り当てられたＴＦＩに基づいて生成される実施形態２〜３のいずれか１つの方法。
【００４５】
１１．マスクが、（Ｍ，Ｎ）符号を使用してＴＦＩを変換することによって生成され、ＭがＰＣＳビット数よりも大きくはなく、ＮがＴＦＩビット数である実施形態１０の方法。
【００４６】
１２．マスクが、ＴＦＩを生成行列と２進乗算することによって生成される実施形態１０の方法。
【００４７】
１３．Ｍが６であり、生成行列が
【００４８】
【表７】
2014123975.tif 000009
【００４９】
である実施形態１２の方法。
【００５０】
１４．Ｍが７であり、生成行列が
【００５１】
【表８】
2014123975.tif 000010
【００５２】
である実施形態１２の方法。
【００５３】
１５．Ｍが８であり、生成行列が
【００５４】
【表９】
2014123975.tif 000011
【００５５】
である実施形態１２の方法。
【００５６】
１６．Ｍが９であり、生成行列が
【００５７】
【表１０】
2014123975.tif 000012
【００５８】
である実施形態１２の方法。
【００５９】
１７．Ｍが１０であり、生成行列が
【００６０】
【表１１】
2014123975.tif 000013
【００６１】
である実施形態１２の方法。
【００６２】
１８．Ｍが１１であり、生成行列が
【００６３】
【表１２】
2014123975.tif 000014
【００６４】
である実施形態１２の方法。
【００６５】
１９．ＴＢＦをアドレス指定するＰＡＮフィールドを処理する方法。
【００６６】
２０．ＰＡＮフィールドとマスク済みＰＣＳとを含むデータブロックを受信することを含む実施形態１９の方法。
【００６７】
２１．マスク済みＰＣＳをマスクでマスク解除することを含み、マスクがＴＢＦに関係付けられる実施形態２０の方法。
【００６８】
２２．ＰＡＮフィールドおよびマスク解除済みＰＣＳを用いるＰＣＳ復号化を実施することを含む実施形態２１の方法。
【００６９】
２３．マスクが、ＴＢＦに割り当てられたＴＦＩである実施形態２１〜２２のいずれか１つの方法。
【００７０】
２４．マスクが、ＴＢＦに割り当てられたＴＦＩに基づいて生成される実施形態２１〜２２のいずれか１つの方法。
【００７１】
２５．ＰＣＳ復号化が、受信したＰＡＮフィールドを用いるＣＲＣ復号化によって実施される実施形態２２〜２４のいずれか１つの方法。
【００７２】
２６．ＴＢＦをアドレス指定するＰＡＮフィールドを処理する方法。
【００７３】
２７．ＰＡＮフィールドとマスク済みＰＣＳとを含むデータブロックを受信することを含む実施形態２６の方法。
【００７４】
２８．受信したＰＡＮフィールドでＰＣＳを計算することを含む実施形態２７の方法。
【００７５】
２９．計算したＰＣＳをマスクでマスクすることを含み、マスクがＴＢＦに関係付けられる実施形態２８の方法。
【００７６】
３０．受信したマスク済みＰＣＳと、計算したマスク済みＰＣＳとを比較することを含む実施形態２９の方法。
【００７７】
３１．マスクが、ＴＢＦに割り当てられたＴＦＩである実施形態２９〜３０のいずれか１つの方法。
【００７８】
３２．マスクが、ＴＢＦに割り当てられたＴＦＩに基づいて生成される実施形態２９〜３０のいずれか１つの方法。
【００７９】
３３．ＰＣＳが、受信したＰＡＮフィールドを用いるＣＲＣ符号化を実施することによって計算される実施形態２８〜３２のいずれか１つの方法。
【００８０】
３４．マスクが、（Ｍ，Ｎ）符号を使用してＴＦＩを変換することによって生成され、ＭがＰＣＳビット数よりも大きくはなく、ＮがＴＦＩビット数である実施形態２９〜３０のいずれか１つの方法。
【００８１】
３５．ＰＡＮフィールドがアドレス指定されるＴＢＦを示す機器。
【００８２】
３６．ＰＡＮフィールドを処理してＰＣＳを生成するＰＣＳジェネレータを備える実施形態３５の機器。
【００８３】
３７．ＰＣＳをマスクでマスクするマスクユニットを備え、マスクがＴＢＦに関係付けられる実施形態３６の機器。
【００８４】
３８．ＰＡＮフィールドとマスク済みＰＣＳとを含むデータブロックを送信するトランシーバを備える実施形態３７の機器。
【００８５】
３９．マスクが、ＴＢＦに割り当てられたＴＦＩである実施形態３７〜３８のいずれか１つの機器。
【００８６】
４０．マスクユニットが、ＰＣＳの少なくとも１ビットと、ＴＦＩの少なくとも１ビットとのビット単位のモジュロ２加算によってＰＣＳおよびＴＦＩのマスキングを実施する実施形態３９の機器。
【００８７】
４１．ＰＣＳの長さとＴＦＩの長さとが異なり、ＴＦＩのＮビットが、ＰＣＳのＮビットでマスクされる実施形態３９〜４０のいずれか１つの機器。
【００８８】
４２．ＰＣＳのＮビットが、ＰＣＳの最初のＮビット、ＰＣＳの最後のＮビット、およびＰＣＳのサブセットのうちの１つである実施形態４１の機器。
【００８９】
４３．ＰＣＳが、ＰＡＮフィールドを用いるＣＲＣ符号化を実施することによって生成される実施形態３７〜４２のいずれか１つの機器。
【００９０】
４４．ＴＢＦに割り当てられたＴＦＩに基づいてマスクを生成するマスクジェネレータをさらに備える実施形態３７〜４３のいずれか１つの機器。
【００９１】
４５．マスクジェネレータが、（Ｍ，Ｎ）符号を使用してＴＦＩをマスクに変換し、ＭがＰＣＳビット数よりも大きくはなく、ＮがＴＦＩビット数である実施形態４４の機器。
【００９２】
４６．マスクが、ＴＦＩを生成行列と２進乗算することによって生成される実施形態４４の機器。
【００９３】
４７．Ｍが６であり、生成行列が
【００９４】
【表１３】
2014123975.tif 000015
【００９５】
である実施形態４６の機器。
【００９６】
４８．Ｍが７であり、生成行列が
【００９７】
【表１４】
2014123975.tif 000016
【００９８】
である実施形態４６の機器。
【００９９】
４９．Ｍが８であり、生成行列が
【０１００】
【表１５】
2014123975.tif 000017
【０１０１】
である実施形態４６の機器。
【０１０２】
５０．Ｍが９であり、生成行列が
【０１０３】
【表１６】
2014123975.tif 000018
【０１０４】
である実施形態４６の機器。
【０１０５】
５１．Ｍが１０であり、生成行列が
【０１０６】
【表１７】
2014123975.tif 000019
【０１０７】
である実施形態４６の機器。
【０１０８】
５２．Ｍが１１であり、生成行列が
【０１０９】
【表１８】
2014123975.tif 000020
【０１１０】
である実施形態４６の機器。
【０１１１】
５３．ＴＢＦをアドレス指定するＰＡＮフィールドを処理する機器。
【０１１２】
５４．ＰＡＮフィールドとマスク済みＰＣＳとを含むデータブロックを受信するトランシーバを備える実施形態５３の機器。
【０１１３】
５５．マスク済みＰＣＳをマスクでマスク解除するマスク解除ユニットを備え、マスクがＴＢＦに関係付けられる実施形態５４の機器。
【０１１４】
５６．ＰＡＮフィールドおよびマスク解除済みＰＣＳを用いるＰＣＳ復号化を実施するＰＣＳデコーダを備える実施形態５５の機器。
【０１１５】
５７．マスクが、ＴＢＦに割り当てられたＴＦＩである実施形態５５〜５６のいずれか１つの機器。
【０１１６】
５８．マスクが、ＴＢＦに割り当てられたＴＦＩに基づいて生成される実施形態５５〜５６のいずれか１つの機器。
【０１１７】
５９．ＰＣＳデコーダがＣＲＣデコーダである実施形態５６〜５８のいずれか１つの機器。
【０１１８】
６０．ＴＢＦをアドレス指定するＰＡＮフィールドを処理する機器。
【０１１９】
６１．ＰＡＮフィールドとマスク済みＰＣＳとを含むデータブロックを受信するトランシーバを備える実施形態６０の機器。
【０１２０】
６２．受信したＰＡＮフィールドでＰＣＳを計算するＰＣＳエンコーダを備える実施形態６１の機器。
【０１２１】
６３．計算したＰＣＳをマスクでマスクするマスクユニットを備え、マスクがＴＢＦに関係付けられる実施形態６２の機器。
【０１２２】
６４．受信したマスク済みＰＣＳと、計算したマスク済みＰＣＳとを比較する比較器を備える実施形態６３の機器。
【０１２３】
６５．マスクが、ＴＢＦに割り当てられたＴＦＩである実施形態６３〜６４のいずれか１つの装置。
【０１２４】
６６．マスクが、ＴＢＦに割り当てられたＴＦＩに基づいて生成される実施形態６３〜６４のいずれか１つの機器。
【０１２５】
６７．マスクジェネレータが、（Ｍ，Ｎ）符号を使用してＴＦＩをマスクに変換し、ＭがＰＣＳビット数よりも大きくはなく、ＮがＴＦＩビット数である実施形態６６の機器。
【０１２６】
６８．ＰＣＳエンコーダがＣＲＣエンコーダであり、ＰＣＳがＣＲＣチェックサムである実施形態６２〜６７のいずれか１つの機器。
【０１２７】
上記では特徴および要素を特定の組合せで説明したが、各特徴または要素を他の機能および要素なしに単独で使用することができ、あるいは他の機能および要素と様々に組み合わせて、または組み合わせずに使用することができる。本明細書で与えられる方法またはフローチャートを、汎用コンピュータまたはプロセッサで実行するためにコンピュータ可読記憶媒体内に組み込まれたコンピュータプログラム、ソフトウェア、またはファームウェアとして実装することができる。コンピュータ可読記憶媒体の例は、読取り専用メモリ（ＲＯＭ）、ランダムアクセスメモリ（ＲＡＭ）、レジスタ、キャッシュメモリ、半導体メモリ装置、内蔵ハードディスクや取外し可能ディスクなどの磁気媒体、光磁気媒体、ＣＤ−ＲＯＭディスクやデジタルバーサタイルディスク（ＤＶＤ）などの光媒体を含む。
【０１２８】
適切なプロセッサは、例えば、汎用プロセッサ、専用プロセッサ、従来型プロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の集積回路（ＩＣ）、および／または状態マシンを含む。
【０１２９】
ソフトウェアに関連するプロセッサを使用して、ワイヤレス送受信ユニット（ＷＴＲＵ）、ユーザ装置（ＵＥ）、端末、基地局、無線ネットワークコントローラ（ＲＮＣ）、または任意のホストコンピュータで使用される無線周波数トランシーバを実装することができる。カメラ、ビデオカメラモジュール、ビデオフォン、スピーカフォン、バイブレーション装置、スピーカ、マイクロフォン、テレビジョントランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールまたは超広帯域（ＵＷＢ）モジュールなどのハードウェアおよび／またはソフトウェアで実装されたモジュールと共にＷＴＲＵを使用することができる。
【図１】
2014123975.tif 000021
【図２】
2014123975.tif 000022
【図３】
2014123975.tif 000023
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
ピギーバック肯定応答／否定応答（ＰＡＮ）フィールドがアドレスされる一時的ブロックフロー（ＴＢＦ）を表示するための方法であって、
前記ＰＡＮフィールドに基づいて、ＰＡＮチェックシーケンス（ＰＣＳ）を生成することと、
ＰＣＳビットのサブセットを、前記ＰＡＮフィールドがアドレスされるＴＢＦの一時的フロー識別（ＴＦＩ）でマスクしてマスクされたＰＣＳを生成することであって、前記ＴＦＩは前記ＰＣＳビットよりも短い、マスクすることと、
ヘッダーと、データ部と、前記ＰＡＮフィールドと、前記マスクされたＰＣＳとを含むデータ・ブロックを生成することであって、前記データ部及び前記ＰＡＮフィールドが、異なるＴＢＦにアドレスされる、生成することと、
前記データ・ブロックを送信することと、
を含む方法。
【請求項２】
前記ＴＦＩは、前記ＰＣＳビットの最初のＮビット、又は前記ＰＣＳビットの最後のＮビットでマスクされる、請求項１に記載の方法。
【請求項３】
前記ＰＣＳは、前記ＰＡＮフィールドで巡回冗長検査（ＣＲＣ）符号化を実行することにより生成される、請求項１に記載の方法。
【請求項４】
一時的ブロックフロー（ＴＢＦ）をアドレスするピギーバック肯定応答／否定応答（ＰＡＮ）フィールドを処理するための方法であって、
ヘッダーと、データ部と、ＰＡＮフィールドと、マスクされたＰＡＮチェック・シーケンス（ＰＣＳ）とを含むデータ・ブロックを受信することであって、前記データ部及び前記ＰＡＮフィールドが異なるＴＢＦにアドレスされる、受信することと、
前記ＰＡＮフィールドと、前記マスクされたＰＣＳ又はマスク解除されたＰＣＳとでＰＣＳ復号を実行して、前記ＰＡＮフィールドがアドレスされるＴＢＦを決定することであって、前記マスク解除されたＰＣＳは、前記ＰＡＮフィールドがアドレスされる前記ＴＢＦの一時的フロー識別（ＴＦＩ）で前記マスクされたＰＣＳビットをマスクすることにより生成され、前記ＴＦＩは、前記マスク解除されたＰＣＳよりも短い、実行することと、
を含む方法。
【請求項５】
前記ＰＣＳ復号は、前記受信したＰＡＮフィールドで巡回冗長検査（ＣＲＣ）復号により実行される、請求項４に記載の方法。
【請求項６】
前記ＰＣＳ復号は、前記ＰＡＮフィールドがアドレスされる前記ＴＢＦを決定するために、複数のＴＦＩで実行される、請求項４に記載の方法。
【請求項７】
ピギーバック肯定応答／否定応答（ＰＡＮ）フィールドがアドレスされる一時的ブロックフロー（ＴＢＦ）を表示するための装置であって、
ＰＡＮフィールドを処理してＰＡＮチェック・シーケンス（ＰＣＳ）を生成するＰＣＳ生成器と、
ＰＣＳビットのサブセットを、前記ＰＡＮフィールドがアドレスされるＴＢＦの一時的フロー識別（ＴＦＩ）でマスクしてマスクされたＰＣＳを生成するマスキング・ユニットであって、前記ＴＦＩは前記ＰＣＳビットよりも短い、マスキング・ユニットと、
ヘッダーと、データ部と、前記ＰＡＮフィールドと、前記マスクされたＰＣＳとを含むデータ・ブロックを送信する送受信機であって、前記データ部及び前記ＰＡＮフィールドが、異なるＴＢＦにアドレスされる、送受信機と、
を備える装置。
【請求項８】
前記ＴＦＩは、前記ＰＣＳビットの最初のＮビット、又は前記ＰＣＳビットの最後のＮビットでマスクされる、請求項７に記載の装置。
【請求項９】
前記ＰＣＳビットは、前記ＰＡＮフィールドで巡回冗長検査（ＣＲＣ）符号化を実行することにより生成される、請求項７に記載の装置。
【請求項１０】
一時的ブロックフロー（ＴＢＦ）をアドレスするピギーバック肯定応答／否定応答（ＰＡＮ）フィールドを処理するための装置であって、
ヘッダーと、データ部と、ＰＡＮフィールドと、マスクされたＰＡＮチェック・シーケンス（ＰＣＳ）とを含むデータ・ブロックを受信するための送受信機であって、前記データ部及び前記ＰＡＮフィールドが異なるＴＢＦにアドレスされる、送受信機と、
前記ＰＡＮフィールドと、前記マスクされたＰＣＳ又はマスク解除されたＰＣＳとでＰＣＳ復号を実行して、前記ＰＡＮフィールドがアドレスされるＴＢＦを決定するＰＣＳ復号器であって、前記マスク解除されたＰＣＳは、前記ＰＡＮフィールドがアドレスされる前記ＴＢＦの一時的フロー識別（ＴＦＩ）で前記マスクされたＰＣＳビットをマスクすることにより生成され、前記ＴＦＩは、前記マスク解除されたＰＣＳよりも短い、ＰＣＳ復号器と、
を備える装置。
【請求項１１】
前記ＰＣＳ復号器は、巡回冗長検査（ＣＲＣ）復号器である、請求項１０に記載の装置。
【請求項１２】
前記ＰＣＳ復号器は、前記ＰＡＮフィールドがアドレスされる前記ＴＢＦを決定するために、複数のＴＦＩで前記ＰＣＳ復号を実行する、請求項１０に記載の装置。